(57)【要約】【課題】  本発明は、粉末製品を計量及び定量供給するための改良型器具を提供する。【解決手段】  この器具１０は、カップ１１及び定量供給器３０を含んでいる。計量すべき粉末材料を入れるカップ１１は、その上縁まで詰められたときに所望量の粉末を収容する大きさに作られている。カップ１１の上縁１２は、粉末材料の平準化に適応するため平らな表面を有している。漏斗形の定量供給器３０は、ならし器として機能すると共に、混合領域中への計量粉末の正確な定量供給をするのに役立つ。従って、定量供給器３０は、その受け開口のところに、カップ１１の上縁に係合するための平らな縁３１を画成している。【選択図】  図１
2005043370.tif 000002
【特許請求の範囲】
【請求項１】
粉末を計量するためのカップであって、該カップの上開口を囲む平らな上縁を有している前記カップと、
前記粉末を定量供給するための漏斗形の定量供給器であって、受入れ開口及び出口開口を有しており、該受入れ開口の周囲が平らな平準化縁を画成している前記定量供給器とを備え、
該定量供給器の前記平準化縁は、前記粉末が前記カップの上縁と同一平面であるように前記カップにおける粉末の量を平準化するため前記カップの上縁を横切ってこするように形成されて、前記定量供給器の前記平準化縁は、前記カップの上縁との間に実質的に隙間のない状態で該カップの上縁に当接するように形成され、前記カップ及び前記定量供給器を逆さにすることにより前記カップ中の前記粉末が前記定量供給器の前記出口開口を通り前記カップ外に流出するようにした計量及び定量供給器具。
【請求項２】
前記カップは、所望量の粉末材料を収容できる大きさに作られている、請求項１に記載の計量及び定量供給器具。
【請求項３】
前記漏斗形の定量供給器は、実質的に円錐形である、請求項１に記載の計量及び定量供給器具。
【請求項４】
前記カップ及び前記漏斗形の定量供給器の各々は、把手部材を有し、前記カップの把手部材は、接続具により前記定量供給器の把手部材に可動に取り付けられている、請求項１に記載の計量及び定量供給器具。
【請求項５】
前記接続具はピンである、請求項４に記載の計量及び定量供給器具。
【請求項６】
前記接続具はリングである、請求項４に記載の計量及び定量供給器具。
【請求項７】
粉末を計量するためのカップであって、平らな上縁と、該平らな上縁に隣接して固定されたカップ把手とを有する前記カップと、
前記粉末を定量供給するための漏斗形の定量供給器であって、受入れ開口及び出口開口を有し、該受入れ開口の周囲が平らな平準化縁を画成し、定量供給器把手は前記平準化縁に隣接して固定されている前記定量供給器と、
前記粉末が前記カップの上縁と同一平面であるように前記カップにおける粉末の量を平準化するため前記定量供給器の前記平準化縁が前記カップの上縁を横切ってこするのを可能とするように前記定量供給器把手を前記カップ把手に可動に接続するための接続具とを備え、
前記定量供給器の前記平準化縁は、前記カップの上縁との間に実質的に隙間のない状態で該カップの前記上縁に当接するように形成され、前記カップ及び定量供給器を逆さにすることにより前記カップ中の前記粉末が前記定量供給器の前記出口開口を通り前記カップ外に流出するようにした、計量及び定量供給器具。
【請求項８】
前記接続具はピンである、請求項７に記載の計量及び定量供給器具。
【請求項９】
前記接続具はリングである、請求項７に記載の計量及び定量供給器具。
【請求項１０】
前記カップは、所望量の粉末材料を収容できる大きさに作られている、請求項７に記載の計量及び定量供給器具。
【発明の詳細な説明】
【技術分野】
【０００１】
本発明は、総括的には、研究室、調理又はベーキングの用途において使用されるような粉末材料の正確な計量に関するものである。
【背景技術】
【０００２】
粉末材料もしくは乾燥材料は、幾多の産業を通じて色々の用途に使用されている。粉末製品の正確な計量及び定量供給を実施するには２つの本質的な工程が必要である。第１に、正確な量の粉末材料が集められねばならない。第２に、計量した粉末は、こぼすことなく混合領域又は容器へと正確に供給されねばならない。第１の工程を実行するために、しばしば“乾燥”計量容器、カップ、又は大さじが使用されるが、これは、その上縁もしくは周縁まで粉末材料を詰めたときに所定の体積を有するように作られている。適切な計量を確実にするために、粉末材料は、カップの上縁で“平ら”にされる。これは、カップに粉末材料を多めに満たしてから、計量カップの上縁で平らなブレードを摺動させて行うのが一般的であり、このような方法によって、粉末材料を平準化し粉末の体積をカップの容量に確実に一致させている。計量した粉末の定量供給は、カップを混合領域の上方に置いて、単にカップを逆さにすることにより、しばしば場当たり的に行われる。その結果、粉末は混合領域へと通例移送されるが、粉末が相当にこぼれるか又は凝集することがしばしば起こる。その上、このような方法の計量材料の定量供給は、哺乳瓶等のような小さな入口開口を有する容器内への粉末の移送対象物には適応していない。
【０００３】
次に、粉末材料を正確に計量して、該粉末材料を狭い開口を有する容器内であっても正しく定量供給する計量及び定量供給器具を製造することが望ましい。更に、この計量及び定量供給器具は、粉末の凝集を避けるように粉末材料を容器内に均一に入れることが望ましい。
【発明の開示】
【０００４】
本発明は、粉末製品を計量及び定量供給するための改良型器具を提供することにより、上述した必要性に対処すると共に、その他の利点を達成する。この器具は、カップ部分及び漏斗形の定量供給器部分を含んでいる。カップは、計量すべき粉末材料を含んでいると共に、その上縁まで詰められたときに所望量の粉末を収容する大きさに作られている。カップの上縁は、粉末材料の平準化に適応するため平らな表面を有している。定量供給器は、その受入れ開口のところに平らな表面を有しており、従って、カップを横切ってこすられるときにならし器として機能する。また、定量供給器は、混合領域中への計量粉末の正確且つ均一な定量供給をするのに役立つ。これらの二重機能を支援するために、定量供給器の受入れ開口にある平らな縁は、カップ及び定量供給器がそれらの間に実質的に隙間のない状態で当接できるように、カップの上縁に係合する大きさに作られている。
【０００５】
本発明の計量及び定量供給器具を使用するために、カップ部分には粉末材料が過剰に詰められる。その後漏斗形の定量供給器は、この定量供給器の平らな縁がカップの上面に接触するまで、過剰に詰められた粉末材料の山の上に降ろされる。平準化するときに、定量供給器は、過剰の粉末が除去されると共に、残っている粉末がカップ部分の上面で平準化されるように、横方向に変位され、それにより正確な計量を実現する。一旦粉末材料の正確な計量が得られたら、定量供給器は、カップの上面と同心状に接触する位置に戻される。定量供給するとき、計量及び定量供給器具は、混合領域の上方に移動され、逆さにされる。その結果、計量された内容物は、漏斗形の定量供給器を介して混合領域に移送される。本発明は、こぼれを無くし、凝集を軽減し、そして狭い混合容器内への粉末材料の定量供給を容易にすることによる正確な計量の確保を含め、顕著な利点を使用者にもたらすことができる。
【０００６】
本発明の好適な一実施形態において、カップ部分及び漏斗形定量供給器の各々は、把手部材を有している。該把手部材は、カップ及び定量供給器の使用及び操作に役立つと共に、ピン、リング等により互いに可動に接続される。
【０００７】
本発明について一般的な用語でこれまで説明したが、次に、必ずしも縮尺通りではない添付図面を参照することとする。
【発明を実施するための最良の形態】
【０００８】
本発明の全ての実施形態ではないが、その幾つかを示す添付図面を参照し、本発明について以下により詳しく説明する。実際に、本発明は、種々の異なる形態で実施可能であり、ここに示された実施形態に限定されるものと解釈されるべきではない。むしろ、これらの実施形態は、その開示内容が適用法律要件を満たすように提示されている。同様の数字は、終始、同様の要素を指している。
【０００９】
図１は、カップ１１及び漏斗形定量供給器３０を有する本発明に従った計量及び定量供給器具１０の好適な一実施形態を例示している。随意であるが、図１は、カップ１１及び漏斗形の定量供給器３０が把手部材１４，３４を有するものとして記載している。かかる把手部材が計量及び定量供給器具１０の便利な使用及び操作を助けているが、把手部材は、紐、ばね等に置き換えてもよく、或いは計量及び定量供給プロセスが自動化されていれば、完全に省略してもよい。把手部材が使用されるのであれば、それらはリング（図１参照）、ピン又はその他類似の接続器具２０を介して互いに結合できる。
【００１０】
図２は、漏斗形の定量供給器３０を表した断面図を提示しており、該定量供給器３０は、相対的に大きな受入れ開口３５と相対的に小さな出口開口３３、すなわち受入れ開口３５より開口の小さな出口開口３３を有している。受入れ開口３５の縁部分は、平らな基準化表面３１を画成している。この平らな基準化表面３１に対向しているのは、図３に示すようなカップ１１の上縁１２である。平らな基準化表面３１及び平らな上縁１２は、それらの間に実質的に隙間のない状態で互いに当接するような大きさ及び形状に作られているので、定量供給器３０及びカップ１１の受入れ縁が互いに押圧されているときに粉末が漏れることはない。カップ１１は、半円形１３として記載されているが、同カップ１１が所定体積の粉末を最終的に保持し得る限り、種々の形状（例えば、長方形、正方形、三角形等）とすることができる。更に、カップ１１の平らな上縁１２は図１においてほぼ長円形として示されているが、これもまた、漏斗形定量供給器３０の平らな基準化表面３１が上述したようにぴったり合う大きさ及び形状に作られている限り、種々の形状（例えば、長方形、正方形、三角形等）とすることができる。
【００１１】
図４，５，６及び７は、本発明の好適な一実施形態の動作を例示している。特に、カップ１１には、図４に示すように、粉末材料４０が過剰に詰められる（山盛りにつがれる）。この粉末は次いでカップ１１の上で漏斗形定量供給器３０を横方向に摺動させることによって、図５に示すように“平準化”されるので、カップ１１の上縁１２は定量供給器３０の平らな基準化表面３１と密に接触した状態に維持される。代案として、粉末は、定量供給器３０の平らな基準化表面３１がカップ１１の上縁もしくは上面１２と同心状に接触した状態に置かれるように、過剰に詰められた粉末材料４０の山の上に定量供給器３０を降下させるようにして平準化してもよい。すなわち、初めにカップ１１の上に定量供給器３０を載せた状態で、その後、定量供給器３０が上述したように横方向に摺動されるので、どんな過剰の粉末も除去される。一旦平均化したら、漏斗形の定量供給器３０は図６に示すようにカップ１１と同心的な接触状態に戻される。
【００１２】
最後に、計量及び定量供給器具１０を逆さにすることにより計量された粉末材料４０が漏斗形の定量供給器３０を通り流れるように、粉末材料４０の定量供給を行う。漏斗形の定量供給器３０の相対的に小さな出口開口３３は、狭い開口を有する容器内であっても粉末の一様な移送に適応する。
【００１３】
この明細書に記載された本発明についての多くの変形例及びその他の実施形態は、前述の説明及び添付の図面に提示された教示内容の利点を有して、本発明が関係する技術に習熟した者に想到されるであろう。従って、言うまでもなく、本発明は、開示された特定の実施形態に限定されるものではなく、また、上述の変形例及びその他の実施形態は、特許請求の範囲に含まれるべきものと考えられる。この明細書では特定の用語が用いられているが、それらは、単に一般的且つ説明的意味であり、限定のために使用されているのではない。
【図面の簡単な説明】
【００１４】
【図１】本発明の一実施形態に従った計量及び定量供給器具の斜視図である。
【図２】図１の断面線２−２に沿った計量及び定量供給器具の漏斗形定量供給器部分の断面図である。
【図３】図１の断面線３−３に沿った計量及び定量供給器具のカップ部分の断面図である。
【図４】粉末材料が過剰に詰められたカップ部分を例示する本発明の計量及び定量供給器具の一実施形態の斜視図である。
【図５】どんな過剰の粉末も除去されるようにカップ部分の上面に対して漏斗形の定量供給器を横方向に並進させる粉末材料の平準化もしくは計量を例示する断面図である。
【図６】漏斗形の定量供給器がカップと同心状に接触した状態に戻されている計量プロセスの完了を例示する本発明に従った計量及び定量供給器具の断面図である。
【図７】計量及び定量供給器具が逆さにされて、それにより計量された粉末が漏斗形の定量供給器を通り狭い混合容器内に流入するのを可能にする粉末材料の定量供給について例示する断面図である。
【符号の説明】
【００１５】
１０    計量及び定量供給器具
１１    カップ
１２    カップの平らな上縁又は上面
１４    カップの把手部材
２０    接続器具
３０    定量供給器
３１    平準化縁又は平準化表面
３３    出口開口
３４    定量供給器の把手部材
３５    受入れ開口
４０    粉末材料
【図１】
2005043370.tif 000003
【図２】
2005043370.tif 000004
【図３】
2005043370.tif 000005
【図４】
2005043370.tif 000006
【図５】
2005043370.tif 000007
【図６】
2005043370.tif 000008
【図７】
2005043370.tif 000009
【外国語明細書】
2005043370.tif 000010
2005043370.tif 000011
2005043370.tif 000012
2005043370.tif 000013
2005043370.tif 000014
2005043370.tif 000015
2005043370.tif 000016
2005043370.tif 000017
2005043370.tif 000018